(57)【要約】  本発明は、電気機器、殊に電動工具であって、取外し可能な給電ユニット（１８，５０，６６，１１４，１４８，１８２）が設けられており、収容方向（２０）で収容領域（１６）内に導入された給電ユニット（１８，５０，６６，１１４，１４８，１８２）を収容するための収容領域（１６）が設けられており、該収容領域（１６）において給電ユニット（１８，５０，６６，１１４，１４８，１８２）を案内するための案内手段（３８，５２，７４，１１６，１６０，１８４）が設けられており、収容領域（１６）において給電ユニット（１８，５０，６６，１１４，１４８，１８２）をロックするためのロック装置（２２，５８，７６，１２６，１６４，１８６）が設けられている形式のものから出発する。ロック装置（２２，５８，７６，１２６，１６４，１８６）が、係止手段（４４，４６，５６，７８，１２２，１２４，１６８，１８８）を有しており、該係止手段（４４，４６，５６，７８，１２２，１２４，１６８，１８８）が、案内手段（３８，５２，７４，１１６，１６０，１８４）の成形によって形成されていることが提案される。
2009502536.tif 000002
【特許請求の範囲】
【請求項１】
電気機器、殊に電動工具であって、取外し可能な給電ユニット（１８，５０，６６，１１４，１４８，１８２）が設けられており、収容方向（２０）で収容領域（１６）内に導入される給電ユニット（１８，５０，６６，１１４，１４８，１８２）を収容するための収容領域（１６）が設けられており、該収容領域（１６）において給電ユニット（１８，５０，６６，１１４，１４８，１８２）を案内するための案内手段（３８，５２，７４，１１６，１６０，１８４）が設けられており、収容領域（１６）において給電ユニット（１８，５０，６６，１１４，１４８，１８２）をロックするためのロック装置（２２，５８，７６，１２６，１６４，１８６）が設けられている形式のものにおいて、
ロック装置（２２，５８，７６，１２６，１６４，１８６）が、係止手段（４４，４６，５６，７８，１２２，１２４，１６８，１８８）を有しており、該係止手段（４４，４６，５６，７８，１２２，１２４，１６８，１８８）が、案内手段（３８，５２，７４，１１６，１６０，１８４）の成形によって形成されていることを特徴とする、電気機器。
【請求項２】
給電ユニット（６６）が、案内手段（７４）として形成されている側面を備えたケーシング（６８）を有している、請求項１記載の電気機器。
【請求項３】
案内手段（３８，５２，１１６）が、係止手段（４４，４６，５６，１２２，１２４）として形成された中断部を備えた少なくとも１つの案内条片（４０，４２，５４，１１８，１２０）を有している、請求項１または２記載の電気機器。
【請求項４】
係止エレメント（４８，９８）が設けられており、該係止エレメント（４８，９８）が、ロックされた状態において給電ユニット（１８，５０）の両側で成形部内に係止されている、請求項１から３までのいずれか一項記載の電気機器。
【請求項５】
係止エレメント（４８）が、関係する操作エレメント（２４）によって保持されている、請求項４記載の電気機器。
【請求項６】
給電ユニット（１８，５０）をロック解除するための操作エレメント（２４，９４）が設けられており、該操作エレメント（２４，９４）を収容方向（２０）に対して垂直に引くことにより、給電ユニット（１８，５０）が解放される、請求項１から５までのいずれか一項記載の電気機器。
【請求項７】
給電ユニット（１１４，１８２）をロック解除するための操作エレメント（１３６，１９４）が設けられており、該操作エレメント（１３６，１９４）が、収容領域に対して相対的に収容方向（２０）で可動である、請求項１から６までのいずれか一項記載の電気機器。
【請求項８】
給電ユニット（１４８）に加えられる、該給電ユニット（１４８）全体を収容領域（１６）に対して相対的に収容方向（２０）で運動させる押圧力により、給電ユニット（１４８）をロック解除するためのロック装置（１６４）が設けられている、請求項１から７までのいずれか一項記載の電気機器。
【請求項９】
ロック装置（１８６）が、板ばね（１９０）を有しており、該板ばね（１９０）が、係止成形部（１９２）を有している、請求項１から８までのいずれか一項記載の電気機器。
【請求項１０】
スライドエレメントとして形成された操作エレメント（１９４）が設けられており、収容方向（２０）とは反対の方向でスライドエレメントを１回スライドさせることにより、板ばね（１９０）が、給電ユニット（１８２）を解放する状態に変形される、請求項９記載の電気機器。
【請求項１１】
給電ユニット（１８）が、エネルギ貯蔵ユニット（３６）を有しており、全てのエネルギ貯蔵ユニット（３６）が、給電ユニット（１８）のロック状態では収容領域（１６）に配置されている、請求項１から１０までのいずれか一項記載の電気機器。
【発明の詳細な説明】
【技術分野】
【０００１】
背景技術
本発明は、請求項１の上位概念部記載の電気機器、特に電動工具から出発する。
【０００２】
ドイツ連邦共和国特許出願公開第３８４１７３５号明細書から、取外し可能なアキュムレータを備えた電気機器が公知である。電気機器には２つの係止エレメントが備え付けられている。２つの係止エレメントは、電気機器の収容部にアキュムレータを付加する際に、アキュムレータの切欠きに係止する。これによりアキュムレータはロックされる。アキュムレータのロック解除のためにアキュムレータは２つの押圧ボタンを有している。この場合、係止エレメントは押圧ボタンへの１回の押圧によりアキュムレータを解放する。
【０００３】
発明の利点
本発明は、電気機器、特に電動工具であって、取外し可能な給電ユニットが設けられていて、収容方向で収容領域に導入される給電ユニットを収容するための収容領域が設けられていて、この収容領域で給電ユニットを案内するための案内手段が設けられていて、収容領域において給電ユニットをロックするためのロック装置が設けられている形式のものから出発する。
【０００４】
ロック装置が、案内手段の成形部によって形成されている係止手段を有していることが提案される。本発明による構成により、案内手段のために設けられた構成スペースは、有利にはロック装置のために使用することができる。これにより電気機器のコンパクトな構成形状と簡単な組付けとを達成することができる。この関係において「案内手段の成形部」は、たとえば案内手段として形成された接触面の切欠き、またはこのような接触面の突出している区分のように、案内手段の１つの係止部のために設けられた構成であると理解されたい。この関係において「接触面」とは、収容領域または給電ユニットの、ロック状態で給電ユニットもしくは収容領域の所定の面で接触している面であると理解されたい。
【０００５】
有利には、給電ユニットは、案内手段として形成されている側面を備えたケーシングを有している。これにより案内手段の特にスペースを節約した構成が得られる。給電ユニットの効果的な案内を達成するために、側面は、給電ユニットの導入時に収容方向に対して十分に平行に配向することができ、接触面として形成することができる。接触面はロック状態では収容領域の所定の面に接触している。「側面」とは、カバー面および底面とは異なり、特に給電ユニットの側方の外面と理解されたい。この場合「側方」は収容方向に関連している。
【０００６】
ロック装置の特にコンパクトな構成は、案内手段が、係止手段として形成された中断部を備えた少なくとも１つの案内条片を有していることにより達成することができる。付加的に、収容領域への導入時の給電ユニットの方向付けは、操作員にとって簡単に認識可能であってよい。
【０００７】
給電ユニットの確実な保持を達成する、特に収容領域でロックされた給電ユニットの不都合な回動を防ぐために、電気機器は係止エレメントを有している。この係止エレメントはロック状態において成形部内に給電ユニットの両面で係止されている。
【０００８】
有利には、係止エレメントは関連する操作エレメントによって保持されている。これによりロック装置の特に簡単な組付けおよび簡単な操作を達成することができる。
【０００９】
給電ユニットの過失によるロック解除は、電気機器に給電ユニットをロック解除するための操作エレメントが備え付けられていることにより防ぐことができる。この場合、操作エレメントを収容方向に対して垂直に引くことにより、給電ユニットは解放される。
【００１０】
別の構成では、電気機器には給電ユニットをロック解除するための操作エレメントが備え付けられている。この操作エレメントは収容領域に対して相対的に収容方向で可動である。これにより操作員に扱いやすく感覚的なロック解除を行うことができる。
【００１１】
有利には、ロック装置は、給電ユニットにおいて加えられる、収容方向で給電ユニット全体を収容領域に対して相対的に運動させる押圧力による給電ユニットのロック解除のために設けられている。これにより別体の操作エレメントを省くことができる。
【００１２】
さらにロック装置が、係止成形部を備えた板ばねを有することが提案される。これにより有利で頑丈な構成要素を使用することができる。
【００１３】
この関係においてさらに別の構成の電気機器には、スライドエレメントとして形成された操作エレメントが備え付けられている。この場合、板ばねは、スライドエレメントの１回のスライドにより収容方向とは反対の方向で、給電ユニットを解放する状態に変形される。これにより操作員にとって感覚的に操作可能なロック解除装置を達成することができる。さらにこのロック解除装置は給電ユニットの不都合なロック解除に対する高い安全性を提供する。
【００１４】
電気機器のコンパクト性のさらなる向上は、給電ユニットがエネルギ貯蔵ユニットを有していることにより達成され得る。この場合、全てのエネルギ貯蔵ユニットは給電ユニットのロック状態では収容領域に配置されている。さらにこのことはロック状態におけるエネルギ貯蔵ユニットの有利な防護を提供する。
【００１５】
本発明に係る電気機器は、電気機器、殊に電動工具であって、取外し可能な給電ユニットが設けられており、収容方向で収容領域内に導入される給電ユニットを収容するための収容領域が設けられており、該収容領域において給電ユニットを案内するための案内手段が設けられており、収容領域において給電ユニットをロックするためのロック装置が設けられている形式のものにおいて、ロック装置が、係止手段を有しており、該係止手段が、案内手段の成形によって形成されていることを特徴とする。
【００１６】
本発明に係る電気機器は、有利には、給電ユニットが、案内手段として形成されている側面を備えたケーシングを有している。
【００１７】
本発明に係る電気機器は、有利には、案内手段が、係止手段として形成された中断部を備えた少なくとも１つの案内条片を有している。
【００１８】
本発明に係る電気機器は、有利には、係止エレメントが、関係する操作エレメントによって保持されている。
【００１９】
本発明に係る電気機器は、有利には、係止エレメントが設けられており、該係止エレメントが、ロックされた状態において給電ユニットの両側で成形部内に係止されている。
【００２０】
本発明に係る電気機器は、有利には、給電ユニットをロック解除するための操作エレメントが設けられており、該操作エレメントを収容方向に対して垂直に引くことにより、給電ユニットが解放される。
【００２１】
本発明に係る電気機器は、有利には、給電ユニットをロック解除するための操作エレメントが設けられており、該操作エレメントが、収容領域に対して相対的に収容方向で可動である。
【００２２】
本発明に係る電気機器は、有利には、給電ユニットに加えられる、該給電ユニット全体を収容領域に対して相対的に収容方向で運動させる押圧力により、給電ユニットをロック解除するためのロック装置が設けられている。
【００２３】
本発明に係る電気機器は、有利には、ロック装置が、板ばねを有しており、該板ばねが、係止成形部を有している。
【００２４】
本発明に係る電気機器は、有利には、スライドエレメントとして形成された操作エレメントが設けられており、収容方向とは反対の方向でスライドエレメントを１回スライドさせることにより、板ばねが、給電ユニットを解放する状態に変形される。
【００２５】
本発明に係る電気機器は、有利には、給電ユニットが、エネルギ貯蔵ユニットを有しており、全てのエネルギ貯蔵ユニットが、給電ユニットのロック状態では収容領域に配置されている。
【００２６】
図面
別の利点は以下の図面の説明から明らかになる。図面には本発明の実施例が示されている。図面、実施例の説明および請求項は複数の特徴を組み合わせて含んでいる。当業者はこれらの特徴を目的に合わせて個々に観察し、有利な別の組合せにまとめる。
【００２７】
実施例の説明
図１には工具機械１０として形成された電動機器が示されている。工具機械１０はモータケーシング１２とハンドグリップ１４とを有している。ハンドグリップ１４には、収容方向２０で取外し可能な給電ユニット１８を収容するための収容領域１６と、ロック装置２２とが設けられている。ロック装置２２は給電ユニット１８を収容領域１６においてロックするために働く。ロック装置２２を操作するために、ハンドグリップ１４には操作エレメント２４が備え付けられている。この操作エレメント２４は懸架部２６に取り付けられたばね２８によって保持されている。給電ユニット１８は側面３２を備えたケーシング３０を有している。側面３２はハンドグリップ１４の内側の一方の面３４に接触している。ケーシング３０はバッテリセルとして形成されたエネルギ貯蔵ユニット３６を取り囲んでいる。これらのエネルギ貯蔵ユニット３６は、給電ユニット１８がロックされた状態では、収容領域１６の内側に配置されている。
【００２８】
給電ユニット１８を収容領域１６で案内するために、給電ユニット１８には案内手段３８が備え付けられている。この案内手段３８は図２に詳しく示した２つの案内条片４０，４２を有している。これらの案内条片４０，４２はそれぞれハンドグリップ１４の案内溝（図示せず）内に係合する。
【００２９】
図３に示した案内手段３８の構成により、案内手段３８は給電ユニット１８を収容領域１６でロック・ロック解除するためにも働く。このために案内条片４０，４２はそれぞれ図３に示された中断部を有している。この中断部はロック装置２２の係止手段４４；４６を形成している。案内手段３８のこの構成に、ロックされた状態では給電ユニット１８の両側で、図４に示した係止エレメント４８が係止する。この係止エレメント４８は操作エレメント２４によって保持されていて、ばね２８により中断部として形成された係止手段４４，４６内に押し込まれている。給電ユニット１８をロック解除するために、操作エレメント２４に操作員によって引張力が収容方向２０に対して垂直に加えられる。この場合、係止エレメント４８は中断部として形成された係止手段４４，４６から引き抜かれ、給電ユニット１８は解放される。
【００３０】
図５には給電ユニット５０の別の実施例が示されている。この給電ユニット５０は収容領域１６に配置されている。給電ユニット５０は図３の給電ユニット１８と同様に構成されていて、案内条片５４を備えた案内手段５２を有している。さらに給電ユニット１８は係止手段５６を有するロック装置５８を有している。この場合、係止手段５６は案内条片５４の一方の中断部によって形成されている。ロック状態では係止手段５６に係止エレメント６０が係止されている。この係止エレメント６０はレバーとして形成された操作エレメント６２に一体成形されている。係止エレメント６０は、ばね６４によって係止手段５６内に押し込まれている。給電ユニット５０のロック解除時には、操作エレメント６２に圧力が加えられる。この場合、係止エレメント６０は係止手段５６から外され、給電ユニット５０は解放される。
【００３１】
給電ユニット６６のさらに別の実施例が図６に示されている。給電ユニット６６はケーシング６８と案内手段７０とを有している。この案内手段７０は案内条片７２を有している。ケーシング６８は、給電ユニット６６の別の案内手段７４を形成する側面を有している。この側面は給電ユニット６６を収容領域１６内に案内する際に、収容方向２０に対して平行に配向されていて、ハンドグリップ１４の内側の面３４に接触している。これにより給電ユニット６６は収容方向２０で案内される。給電ユニット６６をロックするために、給電ユニット６６はロック装置７６を有している。このロック装置７６は案内手段７４の成形部として形成された係止手段７８を有している。ロックされた状態では係止手段７８内に係止エレメント８０が係止されている。この係止エレメント８０はレバーとして構成された操作エレメント８２に一体成形されている。係止エレメント８０は、ばね８４により係止手段７８内に押し込まれる。
【００３２】
図７には工具機械１０のハンドグリップ１４が示されている。このハンドグリップ１４には図５の給電ユニット５０が配置されている。ハンドグリップ１４には択一的な操作エレメント８６が備え付けられている。矢印８８によって示された方向での操作エレメント８６のスライドにより、収容領域１６でロックされている給電ユニット５０は解放される。図８には、給電ユニット５０と操作エレメント８６との配置を上から見て示しめした。操作エレメント８６は係止つめとして形成された係止エレメント９０を有している。この係止エレメント９０はロックされた状態では中断部として形成された、図５の係止手段５６内に係止されていて、ばね９２によってこの係止手段５６内に押し込まれる。
【００３３】
図９には、引きボタン９６と係止エレメント９８とを備えた操作エレメント９４の択一的な実施例が示してある。係止エレメント９８は、ロックされた状態では図５の係止手段５６および図５には示されていない別の係止手段内に、給電ユニット５０の両側で係止されている。収容方向２０に対して垂直に引きボタン９６を引くことにより、収容領域１６に配置された給電ユニット５０を解放することができる。２つのばね１００，１０２は、係止エレメント９８をロック位置に引き戻すために働く。
【００３４】
図１０には２つの係止エレメント１０４，１０６が示されている。これらの係止エレメント１０４，１０６は図５の給電ユニット５０がロックされた状態では、係止手段５６と図５には示されていない別の係止手段とに、給電ユニット５０の両側で係止されていて、それぞれ１つのばね１０８；１１０によって、この係止手段内に押し込まれる。図１１には操作エレメント１１２が示されている。この場合、操作エレメント１１２の回動により係止エレメント１０４，１０６はそれぞれ図１１に示した、給電ユニット５０を解放する位置に変位される。
【００３５】
給電ユニット１１４のさらに別の実施例が図１２に示されている。２つの案内条片１１８，１２０を備えた案内手段１１６を見て取ることができる。２つの案内条片１１８，１２０はそれぞれ１つの、成形部として形成された、ロック装置１２６の係止手段１２２；１２４を有している。ロック装置１２６によって給電ユニット１１４は収容領域１６でロックすることができる。さらにロック装置１２６には、ハンドグリップ１４に位置固定された２つのばねエレメント１２８，１３０が備え付けられている。これらのばねエレメント１２８，１３０はそれぞれ係止成形部１３２；１３４を有している。この場合、係止成形部１３２；１３４はロックされた状態では、それぞれ係止手段１２２；１２４内に係止されている。ばねエレメント１２８，１３０はそれぞれ金属製のばねフックによって形成されている。この場合、プラスチックから成るフックの使用も考慮可能である。フックは、たとえばハンドグリップ１４内に挿入されている。
【００３６】
給電ユニット１１４のロック解除ために、ハンドグリップ１４にはスライダとして構成された操作エレメント１３６が備え付けられている。この操作エレメント１３６は図１３に示されている。この操作エレメント１３６は収容方向２０で収容領域１６に対して相対的に可動であり、収容方向２０とは反対の方向での１回のスライドにより、給電ユニット１１４を解放することができる。このスライド時には、ばねエレメント１２８，１３０は操作エレメント１３６の端部１３８，１４０の１回の押圧により変形され、その結果、ばねエレメント１２８，１３０は係止手段１２２；１２４から外されている。開始位置Ｘからの操作エレメント１３６のスライドは、案内エレメント１４２によって案内される。これらの案内エレメント１４２は図１４において確認することができ、それぞれハンドグリップ１４の案内溝（図示せず）内に係止する。給電ユニット１１４のロック解除後に、操作エレメント１３６は戻しばね１４４により開始位置Ｘに戻し位置決めされる。
【００３７】
図１５には、給電ユニット１１４とハンドグリップ１４におけるロック装置１２６との配置が示されている。操作エレメント１３６のスライドによるロック解除後には、給電ユニット１１４は放出ばね１４６によって収容領域１６から放出される。
【００３８】
給電ユニット１４８のさらに別の実施例が図１６に示されている。この給電ユニット１４８は２つの案内条片１５２，１５４と弾発されるピン１５６とを備えたケーシング１５０を有している。ピン１５６は矢印によって示された方向で位置固定点１５８を中心にして回動可能である。緊締されていない位置Ｙからの回動時には、図示されていないばねが緊締され、これにより戻し力が発生する。
【００３９】
図１７には給電ユニット１４８に付属のハンドグリップ１４が示されている。給電ユニット１４８を収容領域１６で案内するために、ハンドグリップ１４には案内手段１６０が備え付けられている。この案内手段１６０は案内通路１６２を有している。さらにハンドグリップ１４はロック装置１６４を有している。このロック装置１６４によって給電ユニット１４８を収容領域１６でロックすることができる。収容領域１６内への給電ユニット１４８の導入時には、弾発するピン１５６は案内通路１６２内に係合し、案内通路１６２の一方の面１６６によって破線により示された緊締されていない位置Ｙから、左方に押圧される。これにより戻し力が発生する。弾発されるピン１５６が所定の位置Ｚに到達し、給電ユニット１４８が解放されると、弾発されるピン１５６が戻し力によりロック装置１６４の係止手段１６８として形成された、面１６６の成形部内に係止し、給電ユニット１４８はロックされている。給電ユニット１４８をロック解除するために、操作員とって可視の給電ユニット１４８の、図１８に示されている下側部分１７０に収容方向２０で圧力が加えられる。これにより給電ユニット１４８全体は、収容領域１６に対して相対的に運動させられる。弾発されるピン１５６は滑子案内機構により係止手段１６８から外れ、所定の距離だけ所定の位置Ｔへと変位される。操作員が給電ユニット１４８を解放すると、給電ユニット１４８は放出ばね１７２によって放出され、弾発されるピン１５６はさらに案内通路１６２で案内され、その結果、ピン１５６は案内通路１６２から抜け出す。
【００４０】
スライダピン１７４として形成されているピンの択一的な実施例が図１９に示されている。スライダピン１７４はケーシング１５０の内側に部分的に配置されていて、ケーシング１５０の案内通路１７６の内側で可動である。この案内通路１７６での開始位置Ａからの運動時には、ばね１７８または１８０は緊締されるか、もしくは圧縮される。これにより戻し力が発生する。給電ユニット１４８の導入時には、案内通路１７６はハンドグリップ１４の案内通路１６２に対して垂直に配向されている。これによりスライダピン１７４の運動が収容方向に対して側方で可能になる。
【００４１】
図２０ではハンドグリップ１４の別の実施例が示されている。収容領域１６には給電ユニット１８２が配置されている。ハンドグリップ１４の内側の面は、収容領域１６において給電ユニット１８２を案内するために案内手段１８４を形成する。給電ユニット１８２はロック装置１８６によって収容領域１６でロックすることができる。このために内側の面として形成された案内手段１８４は切欠きを有している。この切欠きはロック装置１８６の係止手段１８８として形成されている。さらにロック装置１８６は、給電ユニット１８２に取り付けられた板ばね１９０を有している。この板ばね１９０は係止ノーズとして形成された係止成形部１９２を有している。この場合、係止成形部１９２はロックされた状態において係止手段１８８内に係止されている。給電ユニット１８２をロック解除するために、ハンドグリップ１４にはスライドエレメントとして形成された操作エレメント１９４が備え付けられている。操作エレメント１９４は収容方向２０で可動である。収容方向２０とは反対の方向でのスライドエレメントの１回のスライドにより、給電ユニット１８２を解放する状態に、板ばね１９０は変形される。
【００４２】
図２１には、給電ユニットをロック解除するための操作エレメントの別の実施例が示されている。この場合、板ばね１９０はロック解除ボタン１９６の操作により変形することができる。
【００４３】
択一的には、図２２に示されているように、さらに別の操作エレメントをレバー１９８として構成することができる。レバー１９８の端部２００への１回の押圧により、給電ユニット１８２を解放することができる。
【図面の簡単な説明】
【００４４】
【図１】取外し可能な給電ユニットと操作エレメントとを備えた工具機械を示した図である。
【図２】図１の給電ユニットを上から見た図である。
【図３】図１の給電ユニットの側面図である。
【図４】図１の操作エレメントを上から見た図である。
【図５】択一的な給電ユニットと択一的な操作エレメントとを示した図である。
【図６】側面の係止成形部を備えた別の給電ユニットと、別の操作エレメントとを示した図である。
【図７】図５の給電ユニットと別の操作エレメントとを備えた工具機械である。
【図８】図７の給電ユニットと操作エレメントとを上から見た図である。
【図９】別の操作エレメントを示した図である。
【図１０】２つの係止エレメントを示した図である。
【図１１】操作エレメントを備えた図１０の係止エレメントを示した図である。
【図１２】係止手段を備えた択一的な給電ユニットと、係止手段内に係止されたばねとを示した図である。
【図１３】図１２のばねと操作エレメントを示した図である。
【図１４】図１３の操作エレメントを上から見た図である。
【図１５】図１２の給電ユニットを備えた工具機械である。
【図１６】弾発されるピンを備えた択一的な給電ユニットを示した図である。
【図１７】図１６のピンを案内するための滑子案内機構を示した図である。
【図１８】図１６の給電ユニットを備えた工具機械を示した図である。
【図１９】択一的な滑子案内機構のスライダピンを示した図である。
【図２０】択一的な給電ユニットとスライドエレメントとを示した図である。
【図２１】図２０の給電ユニットとロック解除ボタンとを示した図である。
【図２２】図２０の給電ユニットとレバーとを示した図である。
【図１】
2009502536.tif 000003
【図２】
2009502536.tif 000004
【図３】
2009502536.tif 000005
【図４】
2009502536.tif 000006
【図５】
2009502536.tif 000007
【図６】
2009502536.tif 000008
【図７】
2009502536.tif 000009
【図８】
2009502536.tif 000010
【図９】
2009502536.tif 000011
【図１０】
2009502536.tif 000012
【図１１】
2009502536.tif 000013
【図１２】
2009502536.tif 000014
【図１３】
2009502536.tif 000015
【図１４】
2009502536.tif 000016
【図１５】
2009502536.tif 000017
【図１６】
2009502536.tif 000018
【図１７】
2009502536.tif 000019
【図１８】
2009502536.tif 000020
【図１９】
2009502536.tif 000021
【図２０】
2009502536.tif 000022
【図２１】
2009502536.tif 000023
【図２２】
2009502536.tif 000024
【国際調査報告】
2009502536.tif 000025
2009502536.tif 000026
2009502536.tif 000027
2009502536.tif 000028
2009502536.tif 000029
2009502536.tif 000030